(57)【要約】      （修正有）【課題】増圧効果を備えたファンの構造を提供する。【解決手段】ハブ２１とハブの周囲に沿って設置した複数のブレード２２を有し、該ハブは上面部２１１と上面部周縁に連続して側部２１２を有し、上面部は平面に形成し、前述の各ブレードは連結端２２１と自由端２２２を備え、連結端と自由端の間の両側にそれぞれ前縁２２３と後縁を設けている。連結端は側部の外表面に接続し、自由端は外向きに放射状に突出延伸する。各ブレードの後縁は隣り合うブレードの前縁に覆い遮られ、各ブレードの遮られずに露出した面積は接続端から自由端に向かって漸増し、各ブレードの自由端側の流体圧力が連結端側の流体圧力より大きくなるようにして風圧を増加する。【選択図】図３
0003129927.tif 000002
【実用新案登録請求の範囲】
【請求項１】
ハブ及び該ハブの周囲に沿って設けた複数のブレードを有し、該ハブは上面部及びこの上面部の周縁に連続した側部を有し、前記上面部は平面に形成され、前記各ブレードは連結端及び自由端を有し、前記連結端及び自由端の間の両側にそれぞれ前縁及び後縁を設け、前記連結端は前記側部の外表面に接続し、前記自由端は外向きに放射状に突出延伸し、前記各ブレードの後縁は隣接するブレードの前縁に覆い遮られ、各ブレードの遮られずに露出した面積は前記連結端から自由単に向かって漸増して、該各ブレードの自由端側の流体圧力が連結端側の流体圧力より大きくなるようにしたことを特徴とするファンの構造。
【請求項２】
前記ハブは、少なくとも一つのハウジング内に設けたことを特徴とする請求項1記載のファンの構造。
【考案の詳細な説明】
【技術分野】
【０００１】
本考案は、送風圧力を増加させたファンの構造に関する。
【背景技術】
【０００２】
一般の冷却ファンの構造は図１、図2に示すように、ハブ１１及び複数のブレード１２を有し、前記ハブ１１は底部から上部へ軸方向に平行に延伸し、その延伸した一端１１１は平面とし、且つその面積寸法は底部と等しくなっている。前記各ブレード１２は、ハブ１１の周囲に沿って設けられ、前縁１２１と後縁１２２を設け、前記各ブレード１２の前縁１２１に隣接するブレード１２の後縁１２２は一定間隔１３を隔て設けられ、すなわち各ブレード１２は隣接するブレード１２に重ならないようになっている。
【０００３】
しかしながら、上述の従来の冷却ファンの構造は、使用上において下記の問題が存在する。すなわち、ファンが回転すると流体を流動させ、各ブレード１２の間の間隔１３（流路）が大きいため、流体が間隔１３から流出する際にブレード１２の面が直接作用する流体量が少なく、流体の流出圧力が小さくなってしまい、更に流体は軸向きに流出すると即座に外へ拡散して流出してしまうため、流体を集中収束させて流出させることができず、冷却効果が悪くなっている。
【考案の開示】
【考案が解決しようとする課題】
【０００４】
本考案はこれらの事情に鑑みてなされたもので、ブレードの一部面積が重なるようにして、ファンの送風圧力を増加し及び流体をハブ側に流動させて、流体が集中収束して流動する時間を延長できるようにして増圧効果を得ることができるファンの構造を提供することを目的とする。
【課題を解決するための手段】
【０００５】
前記目的を達成するため本考案によるファンの構造は、ハブ及びハブの周囲に沿って設置した複数のブレードを備え、該ハブは上面部及び上面部の周縁に連続した側部を有し、上面部は平面に形成し、各ブレードは連結端と自由端を有し、連結端と自由端の間の両側に前縁と後縁をそれぞれ設け、前記連結端は側部の外表面に接続し、自由端は外向きに放射状に突出延伸し、前記各ブレードの後縁は隣接するブレードの前縁に覆い遮られ、各ブレードの遮られずに露出した面積は前記連結端から自由端に向かって漸増し、各ブレードの自由端側の流体圧力が連結端側の流体圧力より大きくなるようにして増圧効果を図っている。
【考案の効果】
【０００６】
本考案によれば、ブレードの一部面積が重なるようにして、ファンの送風圧力を増加し及び流体をハブ側に流動させて、流体が集中収束して流動する時間を延長できるようにして増圧効果を得ることができる。
【考案を実施するための最良の形態】
【０００７】
以下、図面を参照して本考案野実施例を説明する。
【０００８】
本考案の増圧効果を備えたファンの構造の好適な実施例は、図３から図５に示すように、ハブ２１と複数のブレード２２を有し、該ハブ２１は上面部２１１と上面部２１１の周縁に連続した側部２１２を設け、前記上面部２１１は平面に形成され、チャンバは上面部２１１と側部２１２に定義されて半開放状に形成され、該チャンバはモータ固定子と回転子を収容することができるようになっている（図中未表示）。
【０００９】
前記各ブレード２２は、連結端２２１と自由端２２２とを備え、前縁２２３と後縁２２４はそれぞれ連結端２２１と自由端２２２の間の両側にそれぞれ形成されている（図５に示す）。
【００１０】
前記連結端２２１は、ハブ２１の側部２１２に固接し、前記自由端２２２は外向きに突出延伸し、各ブレード２２の後縁２２４は隣接するブレード２２の前縁２２３に覆い遮られ、ブレード２２の遮られていない面積は連結端２２１から自由端２２２に向かって漸増し、各ブレード２２がスクリュー状に設置される。
【００１１】
ハウジング２３は、両側にそれぞれ第一開口部２３２と第二開口部２３３を有し、及び流路２３４は前記第一開口部２３２と第二開口部２３３とを連続させている。ベース２３１は、第二開口部２３３に近い流路２３４中に設けられている。
【００１２】
前述のハブ２１とブレード２２とをハウジング２３のベース２３１上に枢設し、該ハブ２１とブレード２２が回転すると、流体を連動させて二つのブレード２２間から流動させ、ブレード２２の連結端２２１近くは遮られていない面積が小さいことによって、連結端２２１の近くを通過する流体は力が小さい作用力であり、圧力が小さくなる。一方、ブレード２２の自由端２２２近くは遮られていない面積が大きいことによって、自由端２２２の近くを通過する流体が受ける作用力は大きく、圧力が大きくなる。すなわち、ブレード２２の連結端２２１に近い側の流体圧力は小さく、ブレード２２の自由端２２２に近い側の流体圧力は大きいため、流体圧力が大きい側から圧力が小さい側へと流動し、自由端２２２側を通過する流体が連結端２２１側を通過する流体の方向へ流動し、これによって流出する流体が集中収束する効果を形成し、流体が即座に外へ拡散するのを防止する。
【００１３】
図３、図６に示すように、上述のハウジング２３をヒートシンク２４上に固設し、前記ハブ２１の第二開口部２３３を発熱部材２４の中央箇所に向かい合わせにする。発熱部材２４は、例えばヒートシンク（図６に示す）または中央処理装置（ＣＰＵ）などとし、ハブ２１を駆動して回転させると、ブレード２２が流体を連動させてハウジング２３の第一開口部２３２から進入させ、第二開口部２３３箇所の発熱部材２４に向かって流動し、ブレード２２を通過した流体は上述のようにハブ２１側（またはブレード２２の連結端２２１）に向かって集中して流動し（即ち流体が収束特性を形成）、ヒートシンク２４の最大発熱エリアである中央部の冷却問題を解決でき、冷却効果が向上する。
【００１４】
前記実施例によるファンの構造によれば、ハブを駆動して回転させると、ブレードが流体を連動させてハウジングの第一開口部から進入させ、第二開口部箇所の発熱部材に向かって流動し、ブレードを通過した流体はハブ側（またはブレードの連結端）に向かって集中して流動し（即ち流体が収束特性を形成）、発熱部材の最大発熱エリアである中央部の冷却問題を解決でき、冷却効果を向上させることができる。
【図面の簡単な説明】
【００１５】
【図１】従来のファン構造の立体略図である。
【図２】従来のファン構造の側視断面略図である。
【図３】本考案の実施例に係るファンをハウジング内に設置した立体略図である。
【図４】本考案の実施例に係るファンをハウジング内に設置した俯瞰略図である。
【図５】本考案の実施例に係るファンをハウジング内に設置した側視断面略図である。
【図６】本考案の実施例に係るファンとハウジングをヒートシンク上に固設した流体動作略図である。
【符号の説明】
【００１６】
１１ ハブ
１１１     一端
１２ブレード
１２１     前縁
１２２     後縁
１３ 間隔
２１ ハブ
２１１     上面部
２１２側部
２２ ブレード
２２１     連結端
２２２     自由端
２２３     前縁
２２４後縁
２３ ハウジング
２３１ベース
２３２第一開口部
２３３     第二開口部
２３４流路
２４ ヒートシンク
【図１】
0003129927.tif 000003
【図２】
0003129927.tif 000004
【図３】
0003129927.tif 000005
【図４】
0003129927.tif 000006
【図５】
0003129927.tif 000007
【図６】
0003129927.tif 000008